(57)【要約】【課題】音声を録音する際に記憶容量や消費電力の無駄を低減することができる端末装置、判断装置、音声録音システム、音声録音方法を提供する。【解決手段】端末装置１０Ａと端末装置１０Ｂとの間で同じ音声を重複して録音される場合に、判断装置２０は、各端末装置の録音状況、例えば、どちらがより鮮明に音声を録音することのできる状況にあるか、どちらの電池の残量が多いかなどの様々な状況に基づいて、一の端末装置のみを録音端末とする。従って、録音に最適な録音端末のみで共有音声データを録音することで、各々の端末装置が共有することのできる音声データを取得する一方で、録音端末以外の端末装置については、録音を停止することによって記憶容量や電力を消費することを防止する。【選択図】図１
2010124227.tif 000002
【特許請求の範囲】
【請求項１】
音声を電気信号として入力する音声入力手段と、
前記音声を録音する録音手段と、
自端末が音声を録音可能な状態であるか否かを判定する録音状況判定手段と、
前記録音状況判定手段によって録音可能な状態であると判定された場合に、前記自端末が録音可能な状態であることを他端末に通知する録音通知手段と、
前記他端末から、前記他端末が前記音声を録音可能な状態である旨の通知を受信する録音通知受信手段と、
前記録音状況判定手段の判定結果と前記録音通知受信手段の受信結果に基づいて、前記自端末と前記他端末によって前記音声が重複録音される状態にあることを検知する重複録音検知手段と、
前記重複録音検知手段によって前記重複録音される状態であることが検知された場合に、前記自端末及び前記他端末から録音端末を決定する判断を行う判断装置に対して、前記重複録音がなされる状態にあることを通知する重複録音通知手段と、
前記判断装置から、前記自端末が前記録音端末か否かを示す通知を受信する録音端末通知受信手段と、
前記判断装置によって、前記他端末が前記録音端末とされた場合は、前記自端末での録音を行わないように設定し、前記自端末が前記録音端末とされた場合は、前記自端末と前記他端末が共有する共有音声データとして前記音声を録音するように設定する録音設定手段と、を備えることを特徴とする端末装置。
【請求項２】
前記共有音声データとして前記音声を録音しているときであって、録音を停止する必要がある場合、録音が停止された後に前記共有音声データを蓄積サーバへ送信する共有音声データ送信手段を更に備えることを特徴とする請求項１記載の端末装置。
【請求項３】
前記判断装置から、前記録音端末の対象となる端末を変更する旨の通知を受信する録音端末変更通知受信手段と、
前記自端末以外の端末からの録音停止の依頼を受信する録音停止依頼受信手段と、
前記自端末以外の端末に録音停止の依頼を送信する録音停止依頼送信手段と、
前記共有音声データとして前記音声を録音することを停止した後に、その旨の通知を前記自端末以外の端末へ送信する録音停止通知送信手段と、を更に備え、
前記自端末以外の端末から前記自端末へ前記録音端末が変更される場合、前記録音手段は前記共有音声データとして前記音声を録音すると共に、前記録音停止依頼手段は前記録音停止の依頼を送信し、
前記自端末から前記自端末以外の端末へ前記録音端末が変更される場合、前記録音停止依頼受信手段の受信によって、前記録音手段は前記共有音声データとして前記音声を録音することを停止すると共に、前記録音停止通知送信手段は前記自端末以外の端末へ録音停止した旨を通知することを特徴とする請求項１又は２記載の端末装置。
【請求項４】
前記自端末と前記自端末以外の端末で前記共有音声データを共有する共有モードから単一モードへ切り替える旨の通知を前記判断装置から受信するモード切替通知受信手段と、
前記モード切替通知受信手段が前記単一モードへの切替通知を受信した場合に、前記共有音声データを前記蓄積サーバへ送信する共有音声データ送信手段と、を更に備えることを特徴とする請求項１〜３のいずれか一項記載の端末装置。
【請求項５】
前記共有音声データを蓄積する蓄積サーバ内の情報の検索条件を入力する検索条件入力手段と、
前記検索条件入力手段で入力された前記検索条件を前記蓄積サーバへ送信する検索条件送信手段と、
前記蓄積サーバからの検索結果を受信する検索結果受信手段と、を更に備えることを特徴とする請求項１〜４のいずれか一項記載の端末装置。
【請求項６】
端末装置と他の端末装置が音声を重複して録音している旨の通知を前記端末装置及び前記他の端末装置から受信する重複録音通知受信手段と、
前記端末装置と前記他の端末装置とのうちいずれを録音端末とするか、それぞれの録音状況に基づいて決定する録音端末決定手段と、
前記端末装置と前記他の端末装置が共有する共有音声データを録音する前記録音端末として、前記端末装置と前記他の端末装置とのいずれが前記録音端末決定手段で決定されたかの通知を送信する録音端末通知送信手段と、を備えることを特徴とする判断装置。
【請求項７】
前記録音端末を変更する録音端末変更手段を更に備え、
前記録音端末通知送信手段は、前記録音端末変更手段で変更した前記録音端末の通知を送信することを特徴とする請求項６記載の判断装置。
【請求項８】
前記共有音声データを共有する共有モードから単一モードへ切り替えるモード切替手段を更に備え、
前記録音端末変更手段が、前記録音端末を変更する必要があると判断した場合であって、変更可能な端末装置の数が一のみと判断した場合、前記モード切替手段は前記共有モードから前記単一モードへ切り替えることを特徴とする請求項７記載の判断装置。
【請求項９】
自端末と他端末との間で録音した音声を共有音声データとして共有する端末装置と、前記自端末と前記他端末から録音端末を決定する判断を行う判断装置と、前記共有音声データを蓄積する蓄積サーバとを備える音声録音システムであって、
前記端末装置が、
前記音声を電気信号として入力する音声入力手段と、
前記音声を録音する録音手段と、
前記自端末が前記音声を録音可能な状態であるか否かを判定する録音状況判定手段と、
前記録音状況判定手段によって録音可能な状態であると判定された場合に、前記自端末が録音可能な状態であることを他端末に通知する録音通知手段と、
前記他端末から、前記他端末が前記音声を録音可能な状態である旨の通知を受信する録音通知受信手段と、
前記録音状況判定手段の判定結果と前記録音通知受信手段の受信結果に基づいて、前記自端末と前記他端末によって前記音声が重複して録音される状態にあることを検知する重複録音検知手段と、
前記重複録音検知手段によって重複録音される状態であることが検知された場合に、前記判断装置に対して、前記重複録音がなされる状態にあることを通知する重複録音通知手段と、
前記判断装置によって、前記自端末が前記録音端末か否かを示す通知を受信する録音端末通知受信手段と、
前記判断装置によって、前記他端末が前記録音端末とされた場合は、前記自端末での録音を行わないように設定し、前記自端末が前記録音端末とされた場合は、前記自端末と前記他端末が共有する共有音声データとして前記音声を録音するように設定する録音設定手段と、を備え、
前記判断装置が、
前記端末装置と前記他端末が音声を重複して録音している旨の通知を前記端末装置及び前記他端末から受信する重複録音通知受信手段と、
前記端末装置と前記他端末のうちいずれを前記録音端末とするか、それぞれの録音状況に基づいて決定する録音端末決定手段と、
前記録音端末として、前記端末装置と前記他端末のいずれが前記録音端末決定手段で決定されたかの通知を送信する録音端末通知送信手段と、を備える
ことを特徴とする音声録音システム。
【請求項１０】
自端末と他端末との間で録音した音声を共有音声データとして共有する端末装置と、前記自端末と前記他端末のいずれを録音端末とするかを判断する判断装置と、前記共有音声データを蓄積する蓄積サーバとを備える音声録音システムによる音声録音方法であって、
前記端末装置が、
前記音声を電気信号として入力する音声入力ステップと、
前記音声を録音する録音ステップと、
前記自端末が前記音声を録音可能な状態であるか否かを判定する録音状況判定ステップと、
前記録音状況判定ステップにおいて録音可能な状態であると判定された場合に、前記自端末が録音可能な状態であることを他端末に通知する録音通知ステップと、
前記他端末から、前記他端末が前記音声を録音可能な状態である旨の通知を受信する録音通知受信ステップと、
前記録音状況判定ステップの判定結果と前記録音通知受信ステップの受信結果に基づいて、前記自端末と前記他端末によって前記音声が重複して録音される状態にあることを検知する重複録音検知ステップと、
前記重複録音検知ステップにおいて重複録音される状態にあることが検知された場合に、前記判断装置に対して、前記重複録音がなされる状態にあることを通知する重複録音通知ステップと、
前記判断装置によって、前記自端末と前記他端末のいずれを前記録音端末としたかの通知を受信する録音端末通知受信ステップと、
前記判断装置によって、前記他端末が前記録音端末とされた場合は、前記自端末での録音を行わないように設定し、前記自端末が前記録音端末とされた場合は、前記自端末と前記他端末が共有する共有音声データとして前記音声を録音するように設定する録音設定ステップと、を備え、
前記判断装置が、
前記端末装置と前記他端末が音声を重複して録音している旨の通知を前記端末装置及び前記他端末から受信する重複録音通知受信ステップと、
前記端末装置と前記他端末のうちいずれを前記録音端末とするか、それぞれの録音状況に基づいて決定する録音端末決定ステップと、
前記録音端末として、前記端末装置と前記他端末のいずれが前記録音端末決定手段で決定されたかの通知を送信する録音端末通知送信ステップと、を備える
ことを特徴とする音声録音方法。
【発明の詳細な説明】
【技術分野】
【０００１】
本発明は、端末装置、判断装置、音声録音システム、及び音声録音方法に関する。
【背景技術】
【０００２】
近年、携帯電話等の端末装置として、音声データを録音して蓄積する機能が取り付けられているものが増加している。そして、録音した音声データを効率的に検索する方法として、マイクから入力した音声をデジタル化した後、圧縮して音声データとし、操作パネルから諸情報を入力し、改ざん防止機能を付与した後、記憶装置に記憶させるものが知られている（例えば、特許文献１）。
【特許文献１】特開２０００−１７３１８５号公報
【発明の開示】
【発明が解決しようとする課題】
【０００３】
しかしながら、所定の音声を多数の端末装置で録音する場合、同じ場所にいるにも関わらずそれぞれの端末装置が重複して音声を録音することによって、記憶容量や消費電力の無駄が発生する場合があった。
【０００４】
そこで、本発明は、上述した課題を解決するために、音声を録音する際に記憶容量や消費電力の無駄を低減することのできる端末装置、判断装置、音声録音システム、音声録音方法を提供することを目的とする。
【課題を解決するための手段】
【０００５】
本発明の端末装置は、音声を電気信号として入力する音声入力手段と、音声を録音する録音手段と、自端末が音声を録音可能な状態であるか否かを判定する録音状況判定手段と、録音状況判定手段によって録音可能な状態であると判定された場合に、自端末が録音可能な状態であることを他端末に通知する録音通知手段と、他端末から、他端末が音声を録音可能な状態である旨の通知を受信する録音通知受信手段と、録音状況判定手段の判定結果と録音通知受信手段の受信結果に基づいて、自端末と他端末によって音声が重複録音される状態にあることを検知する重複録音検知手段と、重複録音検知手段によって重複録音される状態であることが検知された場合に、自端末及び他端末から録音端末を決定する判断を行う判断装置に対して、重複録音がなされる状態にあることを通知する重複録音通知手段と、判断装置から、自端末が録音端末か否かを示す通知を受信する録音端末通知受信手段と、判断装置によって、他端末が録音端末とされた場合は、自端末での録音を行わないように設定し、自端末が録音端末とされた場合は、自端末と他端末が共有する共有音声データとして音声を録音するように設定する録音設定手段と、を備えることを特徴とする。
【０００６】
また、本発明の判断装置は、端末装置と他の端末装置が音声を重複して録音している旨の通知を端末装置及び他の端末装置から受信する重複録音通知受信手段と、端末装置と他の端末装置のうちいずれを録音端末とするか、それぞれの録音状況に基づいて決定する録音端末決定手段と、端末装置と他の端末装置が共有する共有音声データを録音する録音端末として、端末装置と他の端末装置のいずれが録音端末決定手段で決定されたかの通知を送信する録音端末通知送信手段と、を備えることを特徴とする。
【０００７】
また、本発明の音声録音システムは、自端末と他端末との間で録音した音声を共有音声データとして共有する端末装置と、自端末と他端末から録音端末を決定する判断を行う判断装置と、共有音声データを蓄積する蓄積サーバとを備える音声録音システムであって、端末装置が、音声を電気信号として入力する音声入力手段と、音声を録音する録音手段と、自端末が音声を録音可能な状態であるか否かを判定する録音状況判定手段と、録音状況判定手段によって録音可能な状態であると判定された場合に、自端末が録音可能な状態であることを他端末に通知する録音通知手段と、他端末から他端末が音声を録音可能な状態である旨の通知を受信する録音通知受信手段と、録音状況判定手段の判定結果と録音通知受信手段の受信結果に基づいて、自端末と他端末によって音声が重複して録音される状態にあることを検知する重複録音検知手段と、重複録音検知手段によって重複録音される状態であることが検知された場合に、判断装置に対して、重複録音がなされる状態にあることを通知する重複録音通知手段と、判断装置によって、自端末が録音端末か否かを示す通知を受信する録音端末通知受信手段と、判断装置によって、他端末が録音端末とされた場合は、自端末での録音を行わないように設定し、自端末が録音端末とされた場合は、自端末と他端末が共有する共有音声データとして音声を録音するように設定する録音設定手段と、を備え、判断装置が、端末装置と他端末が音声を重複して録音している旨の通知を端末装置及び他端末から受信する重複録音通知受信手段と、端末装置と他端末のうちいずれを録音端末とするか、それぞれの録音状況に基づいて決定する録音端末決定手段と、録音端末として、端末装置と他端末のいずれが録音端末決定手段で決定されたかの通知を送信する録音端末通知送信手段と、を備えることを特徴とする。
【０００８】
また、本発明に係る音声録音方法は、自端末と他端末との間で録音した音声を共有音声データとして共有する端末装置と、自端末と他端末のいずれを録音端末とするかを判断する判断装置と、共有音声データを蓄積する蓄積サーバとを備える音声録音システムによる音声録音方法であって、端末装置が、音声を電気信号として入力する音声入力ステップと、音声を録音する録音ステップと、自端末が音声を録音可能な状態であるか否かを判定する録音状況判定ステップと、録音状況判定ステップにおいて録音可能な状態であると判定された場合に、自端末が録音可能な状態であることを他端末に通知する録音通知ステップと、他端末から、他端末が音声を録音可能な状態である旨の通知を受信する録音通知受信ステップと、録音状況判定ステップの判定結果と録音通知受信ステップの受信結果に基づいて、自端末と他端末によって音声が重複して録音される状態にあることを検知する重複録音検知ステップと、重複録音検知ステップにおいて重複録音される状態であることが検知された場合に、判断装置に対して、重複録音がなされる状態にあることを通知する重複録音通知ステップと、判断装置によって、自端末と他端末のいずれを録音端末としたかの通知を受信する録音端末通知受信ステップと、判断装置によって、他端末が録音端末とされた場合は、自端末での録音を行わないように設定し、自端末が録音端末とされた場合は、自端末と他端末が共有する共有音声データとして音声を録音するように設定する録音設定ステップと、を備え、判断装置が、端末装置と他端末が音声を重複して録音している旨の通知を端末装置及び他端末から受信する重複録音通知受信ステップと、端末装置と他端末のうちいずれを録音端末とするか、それぞれの録音状況に基づいて決定する録音端末決定ステップと、録音端末として、端末装置と他端末のいずれが録音端末決定ステップで決定されたかの通知を送信する録音端末通知送信ステップと、を備えることを特徴とする。
【０００９】
これらの発明によれば、端末装置が音声を録音可能な状態であるか否かを判定すると共に、端末装置が録音可能な状態であることを他端末に通知し、更に、他端末から、当該他端末が音声を録音可能な状態である旨の通知を受信することができ、それらに基づいて端末装置と他端末によって音声が重複録音される状態にあることを検知することができる。更に、端末装置と他端末との間の重複録音される状態であることが検知された場合に、その旨を端末装置及び他端末のうちいずれの端末を録音端末とするかを判断する判断装置に対して通知することで、判断装置は、端末装置と他端末のいずれを録音端末とするか決定することができる。そして、判断装置によって、他端末が録音端末とされた場合は、端末装置での録音を行わないように設定し、端末装置が録音端末とされた場合は、端末装置と他端末が共有する共有音声データとして音声を録音するように設定することができる。これによって、端末装置と他端末との間で同じ音声を重複して録音される場合に、判断装置は、各端末装置の録音状況、例えば、どちらがより鮮明に音声を録音することのできる状況にあるか、どちらの電池の残量が多いかなどの様々な状況に基づいて、一の端末装置のみを録音端末とすることができる。従って、録音に最適な録音端末のみで共有音声データを録音することで、各々の端末装置が共有することのできる音声データを取得する一方で、録音端末以外の端末装置については、録音を停止することによって記憶容量や電力を消費することを防止することができる。以上によって、音声を録音する際に記憶容量や消費電力の無駄を低減することができる。
【００１０】
また、本発明の端末装置では、共有音声データとして音声を録音しているときであって、録音を停止する必要がある場合、録音が停止された後に共有音声データを蓄積サーバへ送信する共有音声データ送信手段を更に備えることが好ましい。
【００１１】
このようにすれば、例えば、録音端末に係る端末装置のユーザが録音停止の操作を行った場合や、他端末から録音停止する旨の依頼を受信した場合や、判断装置から録音を停止する旨の依頼を受信した場合、その他、録音環境が変化（録音端末が移動することによって録音することができなくなった場合など）した場合など、録音を停止する必要がある場合には、共有音声データ送信手段で蓄積サーバへ共有音声データを送信することができる。これによって、録音端末の録音が停止された後に、当該録音端末が録音した共有音声データを蓄積サーバから読み出すことで各端末装置が共有することができる。
【００１２】
また、本発明の端末装置では、判断装置から、録音端末の対象となる端末を変更する旨の通知を受信する録音端末変更通知受信手段と、自端末以外の端末からの録音停止の依頼を受信する録音停止依頼受信手段と、自端末以外の端末に録音停止の依頼を送信する録音停止依頼送信手段と、共有音声データとして音声を録音することを停止した後に、その旨の通知を自端末以外の端末へ送信する録音停止通知送信手段と、を更に備え、自端末以外の端末から自端末へ録音端末が変更される場合、録音手段は共有音声データとして音声を録音すると共に、録音停止依頼手段は録音停止の依頼を送信し、自端末から自端末以外の端末へ録音端末が変更される場合、録音停止依頼受信手段の受信によって、録音手段は共有音声データとして音声を録音することを停止すると共に、録音停止通知送信手段は自端末以外の端末へ録音停止した旨を通知することが好ましい。
【００１３】
また、本発明の判断装置では、録音端末を変更する録音端末変更手段を更に備え、録音端末通知送信手段は、録音端末変更手段で変更した録音端末の通知を送信することが好ましい。
【００１４】
このようにすれば、録音端末を状況に応じて適切な端末装置に変更することが可能となる。例えば、録音端末が共有音声データの録音を行って所定時間経過したときに、他端末との録音負荷を均等にする目的で録音端末を変更することが可能となり、録音端末の録音環境が変化（録音端末が鞄の中に入ってしまった場合など）した旨の通知を受信したときに、良質な音声を録音する目的で録音端末を変更することが可能となり、あるいは、録音端末から電池残量が少ない旨の通知を受信したときに、確実に録音を続行する目的で録音端末を変更することが可能となる。以上によって、音声の録音中に、状況に応じて適切な端末装置で共有音声データを録音することが可能となる。
【００１５】
また、本発明の端末装置では、自端末と自端末以外の端末で共有音声データを共有する共有モードから単一モードへ切り替える旨の通知を判断装置から受信するモード切替通知受信手段と、モード切替通知受信手段が単一モードへの切替通知を受信した場合に、共有音声データを蓄積サーバへ送信する共有音声データ送信手段を更に備えることが好ましい。
【００１６】
このようにすれば、他の端末装置と共有音声データを共有する共有モードが解除される場合には、蓄積サーバへ共有音声データを送信することができる。これによって、共有モードが解除された後に、録音端末が録音した共有音声データを蓄積サーバから読み出すことで各端末装置が共有することができる。
【００１７】
また、本発明の判断装置では、共有音声データを共有する共有モードから単一モードへ切り替えるモード切替手段を更に備え、録音端末変更手段が、録音端末を変更する必要があると判断した場合であって、変更可能な端末装置の数が一のみと判断した場合、モード切替手段は共有モードから単一モードへ切り替えることが好ましい。
【００１８】
このようにすれば、録音端末を変更する必要があって、変更可能な端末装置の数が一のみしかない場合は、複数の端末装置で共有音声データを共有することができないので、共有モードを解除することができる。一方、変更可能な端末装置が複数ある場合は、残りの端末装置で共有音声データの共有を続行することができる。
【００１９】
また、本発明の端末装置では、共有音声データを蓄積する蓄積サーバ内の情報の検索条件を入力する検索条件入力手段と、検索条件入力手段で入力された検索条件を蓄積サーバへ送信する検索条件送信手段と、蓄積サーバからの検索結果を受信する検索結果受信手段と、を更に備えることが好ましい。このようにすれば、各端末装置から必要な共有音声データを蓄積サーバ内から確実に取得することができる。
【発明の効果】
【００２０】
本発明に係る端末装置、判断装置、音声録音システム、音声録音方法によれば、音声を録音する際に記憶容量や消費電力の無駄を低減することができる。
【発明を実施するための最良の形態】
【００２１】
以下、本発明に係る端末装置、判断装置、音声録音システム、及び音声録音方法の好適な実施形態を図面に基づいて説明する。なお、各図において、同一要素には同一符号を付して重複する説明を省略する。
【００２２】
図１は、本実施形態に係る音声録音システム１の構成を示す図である。図１に示すように、音声録音システム１は、複数の端末装置１０Ａ，１０Ｂ，１０Ｃと、判断装置２０と、蓄積サーバ３０とを備えて構成されている。各装置は、通信ネットワーク４０を介して接続されている。なお、説明のために端末装置は図１において３台のみ示されているが、更に多くの端末装置を用いてもよい。
【００２３】
端末装置１０Ａは、自端末が在圏する無線エリアをカバーする基地局（不図示）と無線通信を行い、通話サービスあるいはパケット通信サービスを受ける携帯電話である。また、この端末装置１０Ａは、携帯電話に限られず、簡易型携帯電話機（ＰＨＳ）や通信機能を有する携帯型情報端末（ＰＤＡ）等の携帯端末であってもよい。本実施形態においては、端末装置１０Ａは、音声を録音する機能を備えており、他の端末装置１０Ｂ，１０Ｃ、及び図示されない複数の端末装置との間で録音した音声を共有することができる。なお、端末装置１０Ｂ，１０Ｃは端末装置１０Ａと同様の機能・構成を有しているため、端末装置１０Ａのみについて説明する。
【００２４】
図２は、端末装置１０Ａの構成を示すブロック構成図である。図２に示すように、端末装置１０Ａは、制御部１０１と、記憶部（録音手段）１０２と、スピーカ１０３と、通信部１０４と、マイク（音声入力手段）１０５と、入力部１０６とを備えて構成されている。記憶部１０２は、携帯電話等に内蔵されたメモリや携帯電話に挿入されるカード型情報記憶媒体などによって構成されており、音声を録音する機能を有している。具体的には、記憶部１０２は、マイク１０５から入力された音声データや蓄積サーバ３０から取得した共有音声データを記憶させておく機能を有している。スピーカ１０３は、携帯電話等に内蔵されているスピーカから構成されており、デジタル信号として記憶されている音声データを音声アナログ信号として再生する機能を有している。通信部１０４は、通信ネットワーク４０を介して判断装置２０や蓄積サーバ３０と無線通信を行う機能を有しており、更に、他の端末装置とBluetooth（登録商標）方式などによって近距離無線通信を行うこともできる。マイク１０５は、携帯電話等に内蔵されているマイクによって構成されており、音声を電気信号として入力する機能を有している。入力部１０６は、携帯電話の操作パネルの操作ボタンなどによって構成されており、例えば、蓄積サーバ３０に蓄積された共有音声データを読み出す際に、再生したい共有音声データの検索条件を入力することができる。
【００２５】
制御部１０１は、ＣＰＵやＲＯＭやＲＡＭなどから構成されており、録音状況判定部（録音状況判定手段）１１０、録音通知送受信部（録音通知手段、録音通知受信手段）１１１、重複録音検知部（重複録音検知手段）１１２、重複録音通知部（重複録音通知手段）１１３、録音端末通知受信部（録音端末通知受信手段）１１４、録音設定部（録音設定手段）１１６、共有音声データ送信部１１７、録音端末変更通知受信部（録音端末変更通知受信手段）１１５、録音停止依頼送受信部（録音停止依頼受信手段、録音停止依頼送信手段）１１８、録音停止通知部（録音停止通知送信手段）１１９、重複削除部１２１、モード切替通知受信部（モード切替通知受信手段）１２２、共有停止部１２３、検索条件送信部（検索条件送信手段）１２４、検索結果受信部（検索結果受信手段）１２６を有している。
【００２６】
録音状況判定部１１０は、自端末が音声を録音可能な状態であるか否かを判定する機能を有している。録音状況判定部１１０は、具体的には、端末装置１０Ａに内蔵されているジャイロセンサ（不図示）の検知結果に基づいて自端末が移動中ではないと判断した場合、あるいは、端末装置１０Ａに内蔵されている光センサ（不図示）の検知結果に基づいて自端末がカバンの中に無いと判断した場合などは、自端末が音声を録音するのに適した状態であると判定することができる。また、これに限らず、録音状況判定部１１０は、短時間音声サンプリングを行い、その品質を測定することによって録音に適した状況であるかを判定してもよい。
【００２７】
録音通知送受信部１１１は、録音状況判定部１１０によって自端末が録音可能な状況であると判定された場合に、自端末が録音可能な状況であることを自端末の周辺に存在する他端末に通知する機能を有すると共に、他端末から、当該他端末が音声を録音可能な状態である旨の通知を受信する機能を有している。自端末の周辺に存在する他端末の検知は、通信部１０４の近距離無線通信などの公知の技術によって行う。
【００２８】
重複録音検知部１１２は、録音状況判定部１１０の判定結果と録音通知送受信部１１１の受信結果に基づいて、自端末と他端末によって音声が重複して録音される状態（以下、重複録音と呼ぶ）にあることを検知する機能を有している。重複録音検知部１１２は、具体的には、録音状況判定部１１０によって自端末が音声を録音するのに適した状況であると判定されると共に、録音通知送受信部１１１で、他端末から、当該他端末が音声を録音可能な状態である旨の通知を受信した場合に、重複して録音される状態にあることを検知する。
【００２９】
重複録音通知部１１３は、重複録音検知部１１２によって重複録音される状態であることが検知された場合に、判断装置２０に対して、重複録音がなされる状態にあることを通知する機能を有している。
【００３０】
録音端末通知受信部１１４は、判断装置２０がどの端末装置を録音端末として決定したかの通知を受信する機能を有している。また、録音端末の通知に含まれる録音端末の識別子と共有に係る識別子を抽出する。なお、この「共有に係る識別子」とは、録音端末が録音した共有音声データを判断装置２０にアップロードする際に使用する識別子である。
【００３１】
録音設定部１１６は、判断装置２０によって、他端末が録音端末とされた場合は、自端末での録音を行わないように設定し、自端末が録音端末とされた場合は、自端末と他端末が共有する共有音声データとして音声を録音するように設定する機能を有している。具体的には、録音端末通知受信部１１４で受信された録音端末の識別子と自端末の識別子とを比較することによって、自端末が録音端末として指定されたか否かを判定し、指定されたと判定しなかった場合は録音を停止するように設定し、指定されたと判定した場合は共有に係る識別子を用いる旨の設定（以下、共有モード設定と呼ぶ）を行い、自端末が録音端末として機能するような設定を行う。
【００３２】
共有音声データ送信部１１７は、共有音声データとして音声を録音しているときに、録音を停止すべきと判断された場合、録音が停止された後に共有音声データを蓄積サーバ３０へ送信する機能を有している。録音を停止すべきと判断される場合とは、例えば、録音端末に係る端末装置のユーザが録音停止の操作を行った場合や、他端末から録音停止する旨の依頼を受信した場合や、判断装置２０から録音を停止する旨の依頼を受信した場合、その他、録音環境が変化（録音端末が移動することによって録音することができなくなった場合など）した場合である。
【００３３】
録音端末変更通知受信部１１５は、判断装置２０から、録音端末の対象となる端末装置を変更する旨の通知を受信する機能を有している。
【００３４】
録音停止依頼送受信部１１８は、他の端末装置から録音端末へ自端末を変更する旨の決定がなされた場合に、現在の録音端末に対し、音声データとして音声を録音することを停止する旨の依頼を送信する機能と、自端末から自端末以外の端末へ録音端末を変更する旨の判断がなされた場合に、自端末以外の端末から録音停止の依頼を受信する機能を有している。
【００３５】
録音停止通知部１１９は、録音端末の変更により共有音声データとして音声を録音することを停止した後に、その旨の通知を新たに録音端末として設定された端末装置へ送信する機能を有している。この通知には、録音を停止した時刻が含まれる。
【００３６】
重複削除部１２１は、変更前の録音端末が録音していた共有音声データと、新たな録音端末として自己が録音していた共有音声データとの間で、重複している部分がある場合は、当該重複部分を削除する機能を有している。具体的には、重複削除部１２１は、変更前の録音端末の録音停止通知部１１９の通知に含まれる時刻と、自端末が録音を開始した時刻を比較し、共有音声データに重複があることを検知すると共に、重複部分に係る共有音声データを削除する機能を有している。
【００３７】
モード切替通知受信部１２２は、自端末と他の端末で共有音声データを共有する共有モードを解除して単一モードへ切り替える旨の通知を判断装置２０から受信する機能を有している。
【００３８】
共有停止部１２３は、自端末が録音端末として共有音声データを録音している途中で、自端末での録音が不可能となることによって、データ共有を停止すべきと判断する機能を有している。データ共有を停止すべき状況は、例えば、自端末の録音環境が変化（自端末が移動中になった場合、自端末が鞄の中に入った場合など）によって録音が不可能になった場合、あるいは、自端末のユーザによって録音停止のボタンが押された場合などである。
【００３９】
検索条件送信部１２４は、入力部１０６で入力された検索条件を蓄積サーバ３０へ送信する機能を有している。また、検索結果受信部１２６は、蓄積サーバ３０からの検索結果を受信する機能を有している。入力する検索条件としては、自端末の識別子、音声を録音した日時、周囲に存在した他端末の識別子、音声を録音したときの自端末の位置（ただし、自端末の測位が可能な場合）、共有に係る識別子などが挙げられる。
【００４０】
図３は、判断装置２０の構成を示すブロック構成図である。図３に示すように、判断装置２０は、サーバ等から構成されており、端末装置１０Ａ，１０Ｂ，１０Ｃなどの複数の端末装置が音声データを共有する際に、何れの端末装置を共有音声データとして音声を録音する端末（以下、録音端末と呼ぶ）とするかの判断を行う装置である。判断装置２０は、判断部２０１、状況管理部２０２、通信部２０３を備えて構成されている。通信部２０３は、通信ネットワーク４０と無線あるいは有線で接続されることによって、各端末装置１０Ａ〜１０Ｂと通信を行う機能を有している。
【００４１】
判断部２０１及び状況管理部２０２は、ＣＰＵ、ＲＯＭ、ＲＡＭやメモリなどから構成されている。判断部２０１は、いずれの端末装置を録音端末とするかの判断を行う機能を有しており、録音端末決定部（録音端末決定手段）２０６、録音端末通知部（録音端末通知送信手段）２０７、録音端末変更部（録音端末変更手段）２０８、モード切替部（モード切替手段）２０９を有している。また、状況管理部２０２は、各端末装置１０Ａ，１０Ｂ，１０Ｃの録音状況を管理する機能を有しており、重複録音通知受信部（重複録音通知受信手段）２１１、状況記憶部２１２を有している。なお、録音状況とは、例えば、録音品質の良し悪しや、継続録音時間などである。
【００４２】
録音端末決定部２０６は、重複録音を行っている複数の端末装置のうちいずれを録音端末とするか、それぞれの録音状況に基づいて決定する機能を有している。録音端末決定部２０６は、具体的には、状況管理部２０２の状況記憶部２１２に蓄積されている各端末装置の録音状況に関する情報、例えば、録音品質の良し悪し、継続録音時間に基づいて録音端末を決定する。録音端末決定部２０６は、例えば、重複録音を行っている複数の端末装置のうち、最も録音品質がよいものを録音端末とすることができ、あるいは、継続録音時間が閾値以下であって録音品質が閾値以上である端末装置を録音端末とすることができる。また、録音端末決定部２０６は、録音端末変更部２０８の判定に基づいて、録音端末を変更する際に、新たな録音端末を決定する機能も有している。
【００４３】
録音端末通知部２０７は、複数の端末装置のうち、録音端末決定部２０６で録音端末として決定された端末装置が、各々の共有する共有音声データとして音声を録音するように、各端末装置に録音端末の通知を送信する機能を有している。この通知には、録音端末として決定された端末装置の識別子が含まれている。また、通知を受けた端末装置では、共有モードの設定を行う必要があるため、通知には共有に関わる識別子を含むことが好ましい。
【００４４】
録音端末変更部２０８は、録音端末を他の端末装置へ変更する機能を有している。この録音端末変更部２０８は、現在の録音端末を他の端末装置に変更するべきと判定した場合は、録音端末決定部２０６へ信号を送信して新たな録音端末を決定させる機能を有している。録音端末を変更させる必要がある場合とは、例えば、録音端末が共有音声データの録音を行って所定時間経過したときに、他端末との録音負荷を均等にする目的で録音端末を変更する必要がある場合、録音端末の録音環境が変化（録音端末が鞄の中に入ってしまった場合など）した旨の通知を受信したときに、良質な音声を録音する目的で録音端末を変更する必要がある場合、あるいは、録音端末から電池残量が少ない旨の通知を受信したときに、確実に録音を続行する目的で録音端末を変更する必要がある場合などである。また、録音端末変更部２０８は、録音端末時に変更可能な端末装置の数を計数する機能を更に有しており、録音端末の録音環境の変化によって録音を続行できなくなった場合に、変更可能な他の端末装置が一つである場合は、共有モードを解除するべきと判断する機能を有している。
【００４５】
モード切替部２０９は、共有音声データを共有する共有モードから単一モードへ切り替える機能を有している。具体的には、モード切替部２０９は、録音端末変更部２０８が、録音端末の録音環境の変化によって他の端末装置へ録音端末を変更する必要があると判断した場合であって、変更可能な他の端末装置の数が一のみと判断した場合は、各端末装置について、共有モードから単一モードへ切り替える機能を有している。
【００４６】
重複録音通知受信部２１１は、端末装置の重複録音通知部１１３からの通知、及び当該通知に含まれる録音品質、継続録音時間及び端末の識別子などの各情報を受信する機能を有している。また、状況記憶部２１２は、受信したそれらの情報を記憶する機能を有している。状況記憶部２１２は、判断部２０１からの要求に応じて、所定のタイミングで蓄積した情報を判断部２０１に出力する機能を有している。
【００４７】
図４は、蓄積サーバ３０の構成を示すブロック構成図である。図４に示すように、蓄積サーバ３０は、サーバから構成されており、端末装置１０Ａ〜１０Ｃから出力された共有音声データを蓄積する機能を有している。蓄積サーバ３０は、端末装置１０Ａ〜１０Ｃ及び判断装置２０と通信ネットワーク４０を介して通信を行う通信部３０３と、共有音声データを蓄積する蓄積部３０１と、蓄積された共有音声データを検索する検索部３０２とから構成されている。
【００４８】
蓄積部３０１は、共有音声データ受信部３０４と、記憶部３０６とから構成されている。共有音声データ受信部３０４は、端末装置１０Ａ〜１０Ｃから送信される共有音声データ、録音端末の識別子、及び共有に係る識別子を受信する機能を有している。また、記憶部３０６は、共有音声データ受信部３０４で受信した共有音声データ等を記憶し、データの呼び出しがあった場合に共有音声データを出力する機能を有している。
【００４９】
検索部３０２は、検索条件受信部３０７と、検索実行部３０８とから構成されている。検索条件受信部３０７は、端末装置１０Ａ〜１０Ｃで共有音声データを再生する際に、端末装置１０Ａ〜１０Ｃの入力部１０６で入力された共有音声データの条件を受信する機能を有している。また、検索実行部３０８は、検索条件受信部３０７で受信した検索条件に基づいて、蓄積部３０１の記憶部３０６に記憶された共有音声データの中から条件にあうデータを検索すると共に、通信部３０３を介して端末装置１０Ａ〜１０Ｃに検索結果を出力する機能を有している。
【００５０】
次に、図５〜図１１を参照して、本発明の実施形態に係る音声録音方法について説明する。図５は、本発明の実施形態に係る音声録音システム１の音声録音処理の流れを説明するためのシーケンス図である。以下の説明においては、まず端末装置１０Ａと端末装置１０Ｂとの間で共有音声データの共有を行うものとし、端末装置１０Ｃは、処理の途中で新たに共有音声データを共有する端末として追加されるものとする。図５の処理は端末装置１０Ａ，１０Ｂが音声の録音を開始した時から所定のタイミングで実行される。図５に示すように、音声録音システム１では、端末装置１０Ａ，１０Ｂとが同じ音声を重複して録音していることを検知する重複検知処理（ステップＳ１）と、端末装置１０Ａ，１０Ｂのうち何れを録音端末とするかを決定する録音端末決定処理（ステップＳ２）と、録音端末が共有音声データを録音している途中で録音端末を他の端末装置に切り替える録音切替処理（ステップＳ３）と、端末装置同士の共有音声データの共有を停止するための共有停止処理（ステップＳ４）が実行される。なお、ステップＳ３の処理は音声録音処理の中で適宜繰り返されるものであり、端末装置１０Ａ，１０Ｂ（あるいは新たに追加される端末装置１０Ｃ）同士の間で録音端末の切り替えが繰り返し行われる。あるいは、状況によっては、ステップ３の処理が行われることなく音声録音処理が終了してもよい。
【００５１】
図６は、図５に示すステップＳ１の処理の詳細を示すシーケンス図である。図６に示すように、端末装置１０Ａ及び端末装置１０Ｂの録音状況判定部１１０は、それぞれ自端末が音声を録音可能な状態であるか否かを判定する（ステップＳ１０１，Ｓ１０２）。例えば、端末装置が移動中である場合、カバンの中にある場合、あるいは短時間音声サンプリングの結果により品質が不十分であると判断した場合は、自端末が音声を録音するのに適していないと判定し（ステップＳ１０１，Ｓ１０２；ＮＯ）、音声録音処理を終了する。
【００５２】
一方、端末装置１０Ａの録音状況判定部１１０が、自端末は音声を録音するのに適した状態であると判定した場合（ステップＳ１０１；ＹＥＳ）、端末装置１０Ａの録音通知送受信部１１１は、自端末が録音可能な状態であることを自端末の周囲に存在する他端末、すなわち端末装置１０Ｂに通知する（ステップＳ１０３）。また、端末装置１０Ｂの録音状況判定部１１０が、自端末は音声を録音するのに適した状態であると判定した場合（ステップＳ１０２；ＹＥＳ）、端末装置１０Ｂの録音通知送受信部１１１は、自端末が録音可能な状態であることを自端末の周囲に存在する他端末、すなわち端末装置１０Ａに通知する（ステップＳ１０４）。
【００５３】
次に、端末装置１０Ａの重複録音検知部１１２は、自端末と他端末で重複して録音が行われているか否かの検知を行う。この検知は、自端末と他端末の両方で録音可能な状況であると判定されたか否かを検知することによって行われる。具体的には、重複録音検知部１１２は、録音通知送受信部１１１で端末装置１０Ｂからの通知を受信したか否かを判定する（ステップＳ１０５）。端末装置１０Ａの録音通知送受信部１１１で端末装置１０Ｂからの通知を受信していないと判定された場合は、再びステップＳ１０１の処理が行われる（ステップＳ１０５；ＮＯ）。一方、端末装置１０Ａの録音通知送受信部１１１で端末装置１０Ｂからの通知を受信していると判定された場合は重複録音される状態であることを検知し、図６の処理が終了してステップＳ２の処理が実行される（ステップＳ１０５；ＹＥＳ）。また、端末装置１０Ｂの重複録音検知部１１２は、録音通知送受信部１１１で端末装置１０Ａからの通知を受信したか否かを判定する（ステップＳ１０６）。また、端末装置１０Ｂの録音通知送受信部１１１で端末装置１０Ａからの通知を受信していないと判定された場合は、再びステップＳ１０２の処理が行われる（ステップＳ１０６；ＮＯ）。一方、端末装置１０Ｂの録音通知送受信部１１１で端末装置１０Ａからの通知を受信していると判定された場合は重複録音される状態であることを検知し、図６の処理が終了してステップＳ２の処理が実行される（ステップＳ１０６；ＹＥＳ）。
【００５４】
図７は、図５に示すステップＳ２の処理の詳細を示すシーケンス図である。図７に示すように、端末装置１０Ａの重複録音通知部１１３は、判断装置２０の状況管理部２０２における重複録音通知受信部２１１に対して、重複録音がなされる状態にあることを通知する（ステップＳ２０１）。この重複録音通知には、少なくとも端末装置１０Ａにおける録音品質、継続録音時間及び端末の識別子が含まれる。また、端末装置１０Ｂの重複録音通知部１１３は、判断装置２０に対して、重複録音がなされる状態にあることを通知する（ステップＳ２０２）。この重複録音通知には、少なくとも端末装置１０Ｂにおける録音品質、継続録音時間及び端末の識別子が含まれる。なお、端末装置１０Ａ，１０Ｂの重複録音通知部１１３による通知、及び録音品質等の各情報は、判断装置２０の状況管理部２０２における状況記憶部２１２に蓄積されて管理される。
【００５５】
次に、判断装置２０の判断部２０１における録音端末決定部２０６は、重複録音を行っている全ての端末装置（本実施形態では端末装置１０Ａ及び端末装置１０Ｂ）から重複録音通知を受信したか否かを判定する（ステップＳ２０３）。録音端末決定部２０６は、全ての端末装置から重複録音通知を受信していないと判定した場合（ステップＳ２０３；ＮＯ）は、再び受信したか否かの判定を行う（ステップＳ２０１〜Ｓ２０３）。一方、全ての端末装置から重複録音通知を受信したと判定した場合（ステップＳ２０３；ＹＥＳ）は、各端末装置の録音状況に基づいていずれを録音端末とするかを決定する（ステップＳ２０４）。判断装置２０の判断部２０１における録音端末通知部２０７は、端末装置１０Ａ、及び端末装置１０Ｂのそれぞれに対して、いずれの端末装置が録音端末として決定されたかの通知を行う（ステップＳ２０５）。この通知には、録音端末として決定された端末装置の識別子、共有に関わる識別子が含まれる。端末装置１０Ａ，１０Ｂの録音端末通知受信部１１４は、判断装置２０の録音端末通知部２０７からの通知を受信する。
【００５６】
次に、端末装置１０Ａ，１０Ｂの録音設定部１１６は、判断装置２０の録音端末通知受信部１１４からの通知に基づき、指定された録音端末の識別子と自端末の識別子とを比較することによって、自端末が録音端末として指定されたか否かを判定する（ステップＳ２０６，Ｓ２０７）。自端末が指定されなかったと判定した場合（ステップＳ２０６，Ｓ２０７；ＮＯ）は、自端末での録音を停止するように設定する（ステップＳ２０８，Ｓ２０９）。一方、自端末が録音端末として指定されたと判定した場合（ステップＳ２０６，Ｓ２０７；ＹＥＳ）、自端末の共有モード設定を行う（ステップＳ２１０，Ｓ２１１）。これによって、端末装置１０Ａ，１０Ｂのうち、録音端末として指定された端末装置のみが録音を行い、他方の端末装置は録音を停止する。ステップＳ２０８〜Ｓ２１１が終了するとステップＳ２の処理は終了し、ステップＳ３の処理が実行される。
【００５７】
図８は、図５に示すステップＳ３の処理の詳細を示すシーケンス図である。図８では、現在録音端末として共有音声データを録音している端末を端末装置１０Ａとして、端末装置１０Ａによる録音が一定時間経過した場合に、新規の録音端末として端末装置１０Ｂに変更する場合について説明する。図８に示すように、判断装置２０の判断部２０１の録音端末変更部２０８は、現在の録音端末である端末装置１０Ａによる録音が、予め設定した所定時間を経過したか否かを判定する（ステップＳ３０１）。録音端末変更部２０８は、一定時間経過していないと判定した場合（ステップＳ３０１；ＮＯ）は、繰り返し所定時間を経過したか否かを判定する（ステップＳ３０１）。端末装置１０Ａによる録音が所定時間を経過したと判定した場合（ステップＳ３０１；ＹＥＳ）は、録音端末を端末装置１０Ａから他端末へ変更するものとして録音端末決定部２０６で新たな録音端末を決定させる。
【００５８】
次に、判断装置２０の判断部２０１の録音端末決定部２０６は、録音端末変更部２０８の判定に基づいて、端末装置１０Ｂを新たな録音端末とする旨の決定を行う（ステップＳ３０２）。更に、判断装置２０の判断部２０１の録音端末通知部２０７は、新たに録音端末として決定された端末装置１０Ｂの録音端末変更通知受信部１１５に、その旨及び現在の端末装置１０Ａ及び新たな端末装置１０Ｂの識別子が含まれた通知を行う（ステップＳ３０３）。この通知は、新たに録音端末として決定された端末装置１０Ｂのみに通知される。なお、端末装置１０Ａ周辺に端末装置１０Ｂ以外の端末装置が存在する場合は、その端末装置を新たな録音端末として決定してもよい。
【００５９】
次に、新たに録音端末として決定された端末装置１０Ｂの制御部１０１の録音端末通知受信部１１４は、判断装置２０の録音端末通知部２０７の通知を受信し、端末装置１０Ｂの制御部１０１の録音設定部１１６は、自端末を録音端末として共有音声データを録音するように設定を行う（ステップＳ３０４）。その後、端末装置１０Ｂの制御部１０１の録音停止依頼送受信部１１８は、端末装置１０Ａに対して録音の停止をする旨の依頼を送信する（ステップＳ３０５）。端末装置１０Ａの録音停止依頼送受信部１１８は、端末装置１０Ｂからの録音停止依頼を受信する。
【００６０】
次に、端末装置１０Ａの制御部１０１の録音設定部１１６は、空白地帯検知を行い（ステップＳ３０６）、空白地帯が検知できなかった場合（ステップＳ３０６；ＮＯ）は、繰り返し空白地帯の検知を行い、検知できた場合は（ステップＳ３０６；ＹＥＳ）、録音停止の設定を行う（ステップＳ３０７）。次に、端末装置１０Ａの制御部１０１の録音停止通知部１１９は、録音を停止した時刻と共に、共有音声データとして音声を録音することを停止した旨の通知を新たな録音端末である端末装置１０Ｂへ送信する（ステップＳ３０８）。
【００６１】
次に、端末装置１０Ｂの制御部１０１の重複削除部１２１は、ステップＳ３０８に係る通知に含まれる時刻と、自端末が録音を開始した時刻を比較し、共有音声データに重複があることを検知すると共に、重複部分に係る共有音声データを削除する（ステップＳ３０９）。これによって、記憶容量の無駄を防止することができる。
【００６２】
次に、端末装置１０Ａの制御部１０１の共有音声データ送信部１１７は、ステップＳ３０７で録音停止がなされるまでの間に録音された共有音声データを、録音端末の識別子、共有に係る識別子と共に蓄積サーバ３０へ送信する（ステップＳ３１０）。蓄積サーバ３０の蓄積部３０１は、共有音声データ受信部３０４で共有音声データ等を受信すると共に、記憶部３０６内にデータの蓄積を行う（ステップＳ３１１）。ステップＳ３１１が終了すると図８に示す処理が終了し、ステップＳ４の処理が実行される。
【００６３】
図９は、図５に示すステップＳ４の処理の詳細を示すシーケンス図である。図９では、録音端末として共有音声データを録音している端末を端末装置１０Ｂとして、共有の停止がなされた後に端末装置１０Ａが単独で音声の録音を行う場合について説明する。図９に示すように、端末装置１０Ｂの制御部１０１の共有停止部１２３は、自端末が鞄の中に入ったり、移動中になったり、ユーザによって録音停止ボタンが押されることによって、自端末が録音を続行することが不可能であるためデータ共有を停止すべきと判断した場合は（ステップＳ４０１）、判断装置２０に対して共有停止依頼を送信する（ステップＳ４０２）。
【００６４】
次に、判断装置２０の判断部２０１の録音端末変更部２０８は、端末装置１０Ｂからの共有停止依頼に基づいて、音声データの共有が可能であるか否かを判定する（ステップＳ４０３）。具体的には、新たに変更可能な端末装置の数を計数し、変更可能な端末数が一以上である場合（例えば、端末装置１０Ｂの周辺に端末装置１０Ａの他、新たに端末装置１０Ｃも存在することとなった場合）は、共有可能であると判定し（ステップＳ４０３；ＹＥＳ）ステップＳ３´の録音端末変更処理へ移行する。ステップＳ３´の処理の詳細については、後述する。一方、変更可能な端末数が一つであった場合（ステップＳ４０３；ＮＯ）は、共有不可能であり共有モードを解除するべきと判断する。次に、判断装置２０の判断部２０１のモード切替部２０９は、端末装置１０Ａ及び端末装置１０Ｂに対して共有モードを解除して、通常の単一モード、すなわち個々の端末装置が個別に音声を録音するモードへモード切替を依頼する（ステップＳ４０４）。
【００６５】
端末装置１０Ａは、制御部１０１のモード切替通知受信部１２２で、モード切替の通知を受信した後、録音設定部１１６で共有モードの解除を行うと共に音声の録音を開始するように設定し（ステップＳ４０５）、判断装置２０に対して録音を開始した旨の通知を送信する（ステップＳ４０６）。判断装置２０の判断部２０１のモード切替部２０９は、端末装置１０Ａから録音通知を受信したら、共有の停止が成功したとみなし、端末装置１０Ｂに対して共有停止成功報知を行う（ステップＳ４０７）。端末装置１０Ｂの制御部１０１の共有音声データ送信部１１７は、共有音声データ等を蓄積サーバ３０へ送信する（ステップＳ４０８）。蓄積サーバ３０の蓄積部３０１の共有音声データ受信部３０４は、受信した共有音声データ等を記憶部３０６に蓄積する（ステップＳ４０９）。ステップＳ４０９の処理が終了すると、図９に示す処理が終了し、本実施形態に係る音声共有処理が終了する。
【００６６】
次に、録音端末変更処理ステップＳ３´について詳細に説明する。図１０は、図９に示すステップＳ３´の処理の詳細を示すシーケンス図である。図１０では、録音端末として共有音声データを録音している端末を端末装置１０Ｂとして、共有の停止がなされた後に、端末装置１０Ａと端末装置１０Ｃが音声データの共有をする場合であって、新規な録音端末を端末装置１０Ｃとした場合について説明する。図１０に示すように、判断装置２０の判断部２０１の録音端末決定部２０６は、端末装置１０Ａ，１０Ｃの中から録音に適した端末装置を録音端末変更部２０８で判定した後、端末装置１０Ｃを新たな録音端末とする旨の決定を行う（ステップＳ５０１）。更に、判断装置２０の判断部２０１の録音端末通知部２０７は、新たに録音端末として決定された端末装置１０Ｃに、その旨及び現在の端末装置１０Ｂ及び新たな端末装置１０Ｃの識別子が含まれた通知を行う（ステップＳ５０２）。この通知は、新たに録音端末として決定された端末装置１０Ｃのみに通知される。
【００６７】
次に、新たに録音端末として決定された端末装置１０Ｃの制御部１０１の録音端末通知受信部１１４は、判断装置２０の録音端末通知部２０７の通知を受信し、端末装置１０Ｃの制御部１０１の録音設定部１１６は、自端末を録音端末として共有音声データを録音するように設定を行い（ステップＳ５０３）、判断装置２０に対して録音を開始した旨の通知を送信する（ステップＳ５０４）。判断装置２０の判断部２０１のモード切替部２０９は、端末装置１０Ｃから録音通知を受信したら、共有の停止が成功したとみなし、端末装置１０Ｂに対して共有停止成功報知を行う（ステップＳ５０５）。
【００６８】
次に、端末装置１０Ｂの制御部１０１の共有音声データ送信部１１７は、共有音声データの録音が停止済みであるか否かを判定する（ステップＳ５０６）。録音が停止済みでないと判定されたら（ステップＳ５０６；ＮＯ）、録音を停止する（ステップＳ５０７）。録音を停止した後、あるいは、録音が停止済みあると判定された（ステップＳ５０６；ＹＥＳ）後、共有音声データ等を蓄積サーバ３０へ送信する（ステップＳ５０８）。蓄積サーバ３０の蓄積部３０１の共有音声データ受信部３０４は、共有音声データ等を受信して記憶部３０６に蓄積する（ステップＳ５０９）。蓄積サーバ３０のステップＳ５０９の処理が終了すると、図１０に示す処理が終了し、端末装置１０Ａと端末装置１０Ｃとの間で図９に示すステップＳ４と同様の処理が実行される。なお、共有の停止がなされるまでの間に録音端末の変更がなされる場合はステップＳ３の処理が実行される。
【００６９】
次に、図５に示す処理を行うことによって取得した共有音声データを再生する場合の処理について図１１を参照して説明する。図１１は、蓄積サーバ３０に蓄積された共有音声データ等を端末装置で再生する場合の処理を示すシーケンス図である。図１１では、端末装置１０Ａで共有音声データを再生する場合の処理を示している。図１１に示すように、端末装置１０Ａの入力部１０６に再生する共有音声データの検索条件の入力がなされると（ステップＳ６０１）、検索条件送信部１２４は、入力された検索条件を蓄積サーバ３０に送信する（ステップＳ６０２）。
【００７０】
次に、蓄積サーバ３０の検索条件受信部３０７は、端末装置１０Ａから送信された検索条件を受信し、検索実行部３０８は、その検索条件に基づいて蓄積部３０１の記憶部３０６に記憶されたデータの検索範囲を決定し（ステップＳ６０３）、当該検索範囲内で検索を実行する（ステップＳ６０４）。検索が完了すると、蓄積サーバ３０の検索実行部３０８は、端末装置１０Ａに検索結果を送信し（ステップＳ６０５）、端末装置１０Ａの検索結果受信部１２６は、当該検索結果を受信してスピーカ１０３で再生し（ステップＳ６０６）、図１１に示す処理が終了する。受信結果の内容としては、音声データ自体を受信して再生することができる。あるいは、音声データへのリンクを含むメタデータを受信して、当該メタデータを基に音声を再生してもよく、これによって、候補が複数ある場合に選択が可能となる。複数の候補がある場合には、蓄積サーバ３０は、候補全ての音声データを送信してもよく、端末装置１０Ａに選択させた音声データのみ送信してもよく、最も可能性の高いもののみを送信してもよく、選択させた後に蓄積サーバ３０からストリーミングで流してもよい。
【００７１】
以上のように、本実施形態に係る音声録音システム１によれば、端末装置１０Ａが音声を録音可能な状態であるか否かを判定すると共に、端末装置１０Ａが録音可能な状態であることを端末装置１０Ｂに通知し、更に、端末装置１０Ｂから、端末装置１０Ｂが音声を録音可能な状態である旨の通知を受信することができ、それらに基づいて端末装置１０Ａと端末装置１０Ｂによって音声が重複録音される状態にあることを重複録音検知部１１２で検知することができる。更に、端末装置１０Ａと端末装置１０Ｂとの間の重複録音が検知された場合に、その旨を端末装置１０Ａ及び端末装置１０Ｂのうちいずれの端末を録音端末とするかを判断する判断装置２０に対して通知することで、判断装置２０は、端末装置１０Ａと端末装置１０Ｂのいずれを録音端末とするか決定することができる。そして、判断装置２０によって、端末装置１０Ｂが録音端末とされた場合は、端末装置１０Ａでの録音を行わないように設定し、端末装置１０Ａが録音端末とされた場合は、端末装置１０Ａと端末装置１０Ｂが共有する共有音声データとして音声を録音するように設定することができる。これによって、端末装置１０Ａと端末装置１０Ｂとの間で同じ音声を重複して録音される場合に、判断装置２０は、各端末装置の録音状況、例えば、どちらがより鮮明に音声を録音することのできる状況にあるか、どちらの電池の残量が多いかなどの様々な状況に基づいて、一の端末装置のみを録音端末とすることができる。従って、録音に最適な録音端末のみで共有音声データを録音することで、各々の端末装置が共有することのできる音声データを取得する一方で、録音端末以外の端末装置については、録音を停止することによって記憶容量や電力を消費することを防止することができる。以上によって、音声を録音する際に記憶容量や消費電力の無駄を低減することができる。
【００７２】
また、本実施形態に係る端末装置１０Ａ〜１０Ｃでは、共有音声データとして音声を録音しているときであって、録音を停止する必要がある場合、録音が停止された後に共有音声データを蓄積サーバ３０へ送信する共有音声データ送信部１１７を備えている。これによって、例えば、録音端末に係る端末装置のユーザが録音停止の操作を行った場合や、他端末から録音停止する旨の依頼を受信した場合や、判断装置２０から録音を停止する旨の依頼を受信した場合、その他、録音環境が変化（録音端末が移動することによって録音することができなくなった場合など）した場合など、録音を停止する必要がある場合には、共有音声データ送信部１１７で蓄積サーバ３０へ共有音声データを送信することができる。これによって、録音端末が録音が停止された後に、当該録音端末が録音した共有音声データを蓄積サーバ３０から読み出すことで各端末装置が共有することができる。
【００７３】
また、本実施形態に係る判断装置２０では、録音端末を変更する録音端末変更部２０８を備えている。これによって、録音端末を状況に応じて適切な端末装置に変更することが可能となる。例えば、録音端末が共有音声データの録音を行って所定時間経過したときに、他端末との録音負荷を均等にする目的で録音端末を変更することが可能となり、録音端末の録音環境が変化（録音端末が鞄の中に入ってしまった場合など）した旨の通知を受信したときに、良質な音声を録音する目的で録音端末を変更することが可能となり、あるいは、録音端末から電池残量が少ない旨の通知を受信したときに、確実に録音を続行する目的で録音端末を変更することが可能となる。以上によって、音声の録音中に、状況に応じて適切な端末装置で共有音声データを録音することが可能となる。
【００７４】
また、本発明の端末装置１０Ａ〜１０Ｃでは、端末装置１０Ｂと端末装置１０Ａで共有音声データを共有する共有モードから単一モードへ切り替える旨の通知を判断装置２０から受信するモード切替通知受信部１２２を備えており、モード切替通知受信部１２２からモードの切替通知を受信した場合は、共有音声データを蓄積サーバ３０へ送信することができる。このようにすれば、他の端末装置と共有音声データを共有する共有モードが解除される場合には、蓄積サーバ３０へ共有音声データを送信することができる。これによって、共有モードが解除された後に、録音端末が録音した共有音声データを蓄積サーバ３０から読み出すことで各端末装置が共有することができる。
【００７５】
また、本実施形態に係る判断装置２０では、共有音声データを共有する共有モードから単一モードへ切り替えるモード切替部２０９を更に備え、録音端末変更部２０８が、録音端末を変更する必要があると判断した場合であって、変更可能な端末装置の数が一のみと判断した場合、モード切替部２０９は共有モードから単一モードへ切り替えることができる。このようにすれば、録音端末を変更する必要があって、変更可能な端末装置の数が一のみしかない場合は、複数の端末装置で共有音声データを共有することができないので、共有モードを解除することができる。一方、変更可能な端末装置が複数ある場合は、残りの端末装置で共有音声データの共有を続行することができる。
【００７６】
また、本実施形態に係る端末装置１０Ａ〜１０Ｃでは、共有音声データを蓄積する蓄積サーバ３０内の情報の検索条件を入力する入力部１０６と、入力部１０６で入力された検索条件を蓄積サーバ３０へ送信する検索条件送信部１２４と、蓄積サーバ３０からの検索結果を受信する検索結果受信部１２６と、を備えている。このようにすれば、各端末装置から必要な共有音声データを蓄積サーバ３０内から確実に取得することができる。
【００７７】
本発明は、上述した実施形態に限定されるものではない、例えば、図８では、一定時間経過した場合に録音端末を変更する実施形態について述べたが、録音端末から録音環境の変更通知を受信した場合や、録音端末から電池残量の変更通知を受信した場合に録音端末を変更する場合も同様の処理を行うことができる。
【００７８】
また、図１においては、端末装置１０Ａ〜１０Ｃのみが示されているが、更に多くの端末装置同士の間で共有音声データを共有することもできる。
【００７９】
また、音声データの送信は、録音を停止する必要がある場合に、録音が停止された後に行われていたが、バッファ不足などの際に随時送信を行ってもよい。
【図面の簡単な説明】
【００８０】
【図１】本発明の実施形態に係る音声録音システムの構成を示す図である。
【図２】端末装置の構成を示すブロック構成図である。
【図３】判断装置の構成を示すブロック構成図である。
【図４】蓄積サーバの構成を示すブロック構成図である。
【図５】本発明の実施形態に係る音声録音システムの音声録音処理の流れを説明するためのシーケンス図である。
【図６】図５に示すステップＳ１の処理の詳細を示すシーケンス図である。
【図７】図５に示すステップＳ２の処理の詳細を示すシーケンス図である。
【図８】図５に示すステップＳ３の処理の詳細を示すシーケンス図である。
【図９】図５に示すステップＳ４の処理の詳細を示すシーケンス図である。
【図１０】図９に示すステップＳ３´の処理の詳細を示すシーケンス図である。
【図１１】蓄積サーバに蓄積された共有音声データ等を端末装置で再生する場合の処理を示すシーケンス図である。
【符号の説明】
【００８１】
１…音声録音システム、２０…判断装置、３０…蓄積サーバ、１０２…記憶部（録音手段）、１０５…マイク（音声入力手段）、１１０…録音状況判定部（録音状況判定手段）、１１１…録音通知送受信部（録音通知手段、録音通知受信部）、１１２…重複録音検知部（重複録音検知手段）、１１４…録音端末通知受信部（録音端末通知受信手段）、１１４…録音設定部（録音設定手段）、１１５…録音端末変更通知受信部（録音端末変更通知受信手段）、１１７…共有音声データ送信部（共有音声データ送信手段）、１１８…録音停止依頼送受信部（録音停止依頼受信手段、録音停止依頼送信手段）、１１９…録音停止通知部（録音停止通知送信手段）、１２２…モード切替通知受信部（モード切替通知受信手段）、１２４…検索条件送信部（検索条件送信手段）、１２６…検索結果受信部（検索結果受信手段）、２０６…録音端末決定部（録音端末決定手段）、２０７…録音端末通知部（録音端末通知送信手段）、２０８…録音端末変更部（録音端末変更手段）、２０９…モード切替部（モード切替手段）、２１１…重複録音通知受信部（重複録音通知受信手段）。
【図１】
2010124227.tif 000003
【図２】
2010124227.tif 000004
【図３】
2010124227.tif 000005
【図４】
2010124227.tif 000006
【図５】
2010124227.tif 000007
【図６】
2010124227.tif 000008
【図７】
2010124227.tif 000009
【図８】
2010124227.tif 000010
【図９】
2010124227.tif 000011
【図１０】
2010124227.tif 000012
【図１１】
2010124227.tif 000013